(57)【要約】【課題】商用電源と操作装置の一方からの給電が遮断された場合でもリレー回路を駆動することができ、操作装置の消費電流を低減することができるリレー制御装置を得る。【解決手段】第１の制御電源８はリレー回路７に電力を供給する。制御回路９はリレー回路７を制御する。第２の制御電源１０は制御回路９に電力を供給する。ＡＣ／ＤＣ変換回路１１は商用電源５の交流電力を直流電力に変換して第１及び第２の制御電源８，１０に供給する。第３の制御電源１２は操作信号から電力を生成して第１及び第２の制御電源８，１０に供給する。切換回路１３は、ＡＣ／ＤＣ変換回路１１からの電力の供給が無い場合に第３の制御電源１２と第１及び第２の制御電源８，１０とを接続し、ＡＣ／ＤＣ変換回路１１からの電力の供給が有る場合に第３の制御電源１２と第１及び第２の制御電源８，１０との接続を遮断する。【選択図】図２
2019200893.tif 000002
【特許請求の範囲】
【請求項１】
外部からの操作信号に応じて負荷に供給する電圧のＯＮ／ＯＦＦを制御するリレー回路と、
前記リレー回路に電力を供給する第１の制御電源と、
前記リレー回路を制御する制御回路と、
前記制御回路に電力を供給する第２の制御電源と、
商用電源の交流電力を直流電力に変換して前記第１及び第２の制御電源に供給するＡＣ／ＤＣ変換回路と、
前記操作信号から電力を生成して前記第１及び第２の制御電源に供給する第３の制御電源と、
前記ＡＣ／ＤＣ変換回路からの電力の供給が無い場合に前記第３の制御電源と前記第１及び第２の制御電源とを接続し、前記ＡＣ／ＤＣ変換回路からの電力の供給が有る場合に前記第３の制御電源と前記第１及び第２の制御電源との接続を遮断する切換回路とを備えることを特徴とするリレー制御装置。
【請求項２】
前記制御回路と接続され、前記リレー回路による負荷の制御を外部から設定できる設定装置を更に備えることを特徴とする請求項１に記載のリレー制御装置。
【請求項３】
前記設定装置は、ユーザが直接操作するスイッチであり、前記リレー回路による複数の負荷の制御を一括又は個別に設定できることを特徴とする請求項２に記載のリレー制御装置。
【請求項４】
前記設定装置は、ユーザが直接操作するスイッチであり、前記操作信号より優先して前記リレー回路による負荷の制御を設定することを特徴とする請求項２又は３に記載のリレー制御装置。
【発明の詳細な説明】
【技術分野】
【０００１】
本発明は、リレー制御装置に関する。
【背景技術】
【０００２】
制御システムは、複数の照明器具を制御するリレー制御装置と、リレー制御装置を操作する伝送制御装置である操作装置と、操作装置に指令を出す操作端末とから構成される。従来の制御システムでは、操作装置から供給される操作信号からリレー制御装置の制御回路用の電力とリレー回路用の電力を生成し、制御回路とリレー回路を動作させていた（例えば、特許文献１参照）。これにより、負荷に供給する電圧のＯＮ／ＯＦＦを制御するリレー回路を制御することができる。
【先行技術文献】
【特許文献】
【０００３】
【特許文献１】特許第６２０６７９６号公報
【発明の概要】
【発明が解決しようとする課題】
【０００４】
従来の制御システムは、操作装置の操作信号からリレー制御装置の内部回路用の電力を生成していた。このため、操作装置とリレー制御装置との間が遮断されるか、又は操作装置のみ停電となることで、リレー制御装置の内部回路への給電も遮断される。これにより、リレー回路を駆動できなくなるという問題があった。また、操作装置に複数のリレー制御装置が接続された場合に、それらに電力を供給する操作装置の消費電流が増加するという問題があった。
【０００５】
本発明は、上述のような課題を解決するためになされたもので、その目的は商用電源と操作装置の一方からの給電が遮断された場合でもリレー回路を駆動することができ、商用電源からの給電により操作装置の消費電流を低減することができるリレー制御装置を得るものである。
【課題を解決するための手段】
【０００６】
本発明に係るリレー制御装置は、外部からの操作信号に応じて負荷に供給する電圧のＯＮ／ＯＦＦを制御するリレー回路と、該リレー回路に電力を供給する第１の制御電源と、該リレー回路を制御する制御回路と、該制御回路に電力を供給する第２の制御電源と、商用電源の交流電力を直流電力に変換して該第１及び第２の制御電源に供給するＡＣ／ＤＣ変換回路と、該操作信号から電力を生成して該第１及び第２の制御電源に供給する第３の制御電源と、該ＡＣ／ＤＣ変換回路からの電力の供給が無い場合に該第３の制御電源と該第１及び第２の制御電源とを接続し、該ＡＣ／ＤＣ変換回路からの電力の供給が有る場合に該第３の制御電源と該第１及び第２の制御電源との接続を遮断する切換回路とを備えることを特徴とする。
【発明の効果】
【０００７】
本発明では、商用電源からの電力供給の有無に応じて、第１及び第２の制御電源への給電が維持されるように、第３の制御電源と第１及び第２の制御電源との間の接続と遮断を切り換える。これにより、商用電源と操作装置の何れか一方からの給電が遮断された場合でもリレー制御装置の制御回路用の電力とリレー回路用の電力を生成してリレー回路を駆動することができる。また、商用電源と操作装置の両方からの電源供給がある場合、ＡＣ／ＤＣ変換回路からの電源供給に切り換える。これにより、操作装置の消費電流を低減することができる。
【図面の簡単な説明】
【０００８】
【図１】実施の形態１に係る制御システムを示すブロック図である。
【図２】実施の形態１に係るリレー制御装置を示すブロック図である。
【図３】実施の形態２に係る制御システムを示すブロック図である。
【図４】実施の形態２に係るリレー制御装置を示すブロック図である。
【発明を実施するための形態】
【０００９】
実施の形態に係るリレー制御装置について図面を参照して説明する。同じ又は対応する構成要素には同じ符号を付し、説明の繰り返しを省略する場合がある。
【００１０】
実施の形態１．
図１は、実施の形態１に係る制御システムを示すブロック図である。リレー制御装置１が複数の負荷２を制御する。負荷２は例えば照明器具である。操作装置３は、リレー制御装置１にリレー制御装置１を操作する操作信号を送信する。操作端末４が操作装置３に接続されている。
【００１１】
操作装置３は、複数台の操作端末４とリレー制御装置１に接続され、個々のリレー制御装置１と操作端末４にアドレスを割り当てることで、個々の操作端末４との接続と、リレー制御装置１を制御する。操作端末４は、操作装置３に少なくとも１台接続され、操作装置３に負荷２を制御する信号を送信する。リレー制御装置１及び操作端末４は、図１に示すスター結線に代えて、渡り配線で操作装置３に接続されていてもよい。
【００１２】
リレー制御装置１は、操作装置３に対して少なくとも１台接続され、負荷２に対して個別のアドレスが割り当てられる。これにより、リレー制御装置１に対して複数台の負荷２が接続された場合にも、操作装置３から送信される操作信号に応じてリレー制御装置１に接続された複数台の負荷２を一括又は個別に制御することができる。
【００１３】
商用電源５は、リレー制御装置１とそのリレー制御装置１に接続された負荷２に電力を供給する。商用電源６は操作装置３に電力を供給する。操作装置３が商用電源６から電力供給されることにより、操作装置３から例えば±２４Ｖの操作信号で操作端末４とリレー制御装置１に電力が供給される。商用電源６は商用電源５とは別系統の商用電源である。商用電源６が遮断された場合、操作端末４は、操作装置３から電力が供給されないため、動作が停止する。一方、リレー制御装置１は、商用電源５から電力が供給されるため、負荷２の制御が可能である。
【００１４】
図２は、実施の形態１に係るリレー制御装置１を示すブロック図である。少なくとも１つのリレー回路７が設けられている。リレー回路７は、外部の操作装置３からの操作信号に応じて、対応する負荷２に供給する電圧のＯＮ／ＯＦＦを制御する。第１の制御電源８がリレー回路７に電力を供給する。制御回路９は操作信号に応じてリレー回路７を制御する。第２の制御電源１０は制御回路９に電力を供給する。ＡＣ／ＤＣ変換回路１１は、商用電源５と第１及び第２の制御電源８，１０を絶縁しつつ、商用電源５の交流電力を直流電力に変換して第１及び第２の制御電源８，１０に供給する。第３の制御電源１２は、外部の操作装置３の操作信号から電力を生成する。
【００１５】
商用電源５からの電力供給が無いと、ＡＣ／ＤＣ変換回路１１は第１及び第２の制御電源８，１０に電力を供給できなくなる。そこで、切換回路１３は、ＡＣ／ＤＣ変換回路１１からの電力の供給が無い場合に第３の制御電源１２と第１及び第２の制御電源８，１０とを接続する。この場合、第３の制御電源１２が生成した電力が第１及び第２の制御電源８，１０に供給される。一方、切換回路１３は、ＡＣ／ＤＣ変換回路１１からの電力の供給が有る場合に第３の制御電源１２と第１及び第２の制御電源８，１０との接続を遮断する。この場合、ＡＣ／ＤＣ変換回路１１が生成した電力が第１及び第２の制御電源８，１０に供給される。
【００１６】
以上説明したように、本実施の形態では、商用電源５からの電力供給の有無に応じて、第１及び第２の制御電源８，１０への給電が維持されるように、第３の制御電源１２と第１及び第２の制御電源８，１０との間の接続と遮断を切り換える。これにより、商用電源５と操作装置３の一方からの給電が遮断された場合でもリレー制御装置１の制御回路９用の電力とリレー回路７用の電力を生成してリレー回路７を駆動することができる。また、商用電源５と操作装置３の両方からの電力供給がある場合、ＡＣ／ＤＣ変換回路１１からの電源供給に切り換えるため、操作装置３の消費電流を低減することができる。
【００１７】
なお、切換回路１３は、簡易的なスイッチに限らず、トランジスタを組み合わせた同様な役割の回路を組んでもよい。何れの場合でもリレー制御装置１は同様の回路構成になり、効果に差異はない。操作端末４は、例えば壁に設置されるスイッチであるが、これに限らず天井に設置される調光器を操作端末４としても制御システムの構成は同様であり、効果に差異はない。また、操作装置３と操作端末４は有線接続されているが、無線により接続されている場合でも制御システムの構成は同様であり、効果に差異はない。ただし、この場合、操作端末４に個別に電源が必要となる。また、操作装置３と接続されるリレー制御装置１は１台に限らず、操作装置３に対してリレー制御装置１を複数台接続した場合においても制御システムの構成は同様であり、効果に差異はない。
【００１８】
実施の形態２．
図３は、実施の形態２に係る制御システムを示すブロック図である。本実施の形態では、実施の形態１のリレー制御装置１に設定装置１４，１５が付加されている。設定装置１４，１５は、ユーザが直接操作するスイッチであり、リレー制御装置１の前面又は側面に設けられている。リレー制御装置１に接続される負荷２が４台であり、負荷２と同数の設定装置１４と、１つの設定装置１５とが設けられている。４台の設定装置１４は、リレー制御装置１に接続された４台の負荷２と対で設けられ、操作装置３からの操作信号が遮断された場合でも４台の負荷２をそれぞれ個別に制御することができる。設定装置１５は、リレー制御装置１に接続された４台の負荷２を一括で制御するスイッチである。なお、設定装置１４と負荷２の組合せを１組として全４組を図示しているが、４組以外の複数組又は１組の構成であってもよく、効果に差異はない。
【００１９】
図４は、実施の形態２に係るリレー制御装置を示すブロック図である。本実施の形態では、実施の形態１のリレー制御装置１に設定装置１６が付加されている。設定装置１６は図３の設定装置１４又は設定装置１５に対応する。設定装置１６は、リレー回路７を制御する第２の制御電源１０及び制御回路９と接地点との間に接続されている。設定装置１６は、リレー回路７による負荷２の制御を外部から設定できる。設定装置１６は、外部の操作装置３からの操作信号より優先してリレー回路７による負荷２の制御を設定する。
【００２０】
設定装置１６は、簡易的なスイッチとして図示しているが、例えばトグルスイッチ、ボタンスイッチ又はディップスイッチでもよいし、トランジスタを組み合わせた同様な役割の回路を組んでもよい。何れの場合でもリレー制御装置は同様の回路構成になり、効果に差異はない。
【００２１】
設定装置１６は第２の制御電源１０と接続されているが、第１の制御電源８を抵抗又はダイオードを用いて第２の制御電源１０と同等の電圧まで降圧して設定装置１６と接続してもよく、効果に差異はない。第１及び第２の制御電源８，１０へ電力が供給される場合に、設定装置１６はリレー制御装置１に接続される負荷２を制御することが可能となる。
【００２２】
なお、設定装置１６とリレー回路７を１組として図示しているが、設定装置１６とリレー回路７の組を複数設けた場合においても同様の制御構成になり、効果に差異はない。例えば、設定装置１６とリレー回路７を４組設ける場合、１組目は第１のリレー回路と第１の設定装置の組合せとし、４組目は第４のリレー回路と第４の設定装置の組合せとする。また、第１から第４のリレー回路を一括で制御する第５の設定装置も設ける。これらの設定装置はＨＩＧＨとＬＯＷを切り替えるものである。状態がＨＩＧＨ又はＬＯＷのどちらか一方となった場合、第１から第４の設定装置は対応するリレー回路を個別に制御し、第５の設定装置は複数台のリレー回路を一括で制御する。これにより、設定装置１６は、リレー回路７による複数の負荷２の制御を一括又は個別に設定できる。なお、第５の設定装置の一括制御は第１から第４の設定装置の個別制御よりも優先される。
【符号の説明】
【００２３】
３  操作装置、５  商用電源、７  リレー回路、８  第１の制御電源、９  制御回路、１０  第２の制御電源、１１  ＡＣ／ＤＣ変換回路、１２  第３の制御電源、１３  切換回路、１６  設定装置
【図１】
2019200893.tif 000003
【図２】
2019200893.tif 000004
【図３】
2019200893.tif 000005
【図４】
2019200893.tif 000006